(57)【特許請求の範囲】
【請求項１】
第１レンズ群を保持した第１の前面部、該第１の前面部から光軸方向の後方に延びるように形成された壁面からなる第１の側面壁面部、該第１の側面壁面部の左右の上端および光軸方向に沿って開口した第１の上面開口部、並びに前記第１の側面壁面部の後端および光軸直交方向に沿って開口した第１の後面開口部を有する第１の鏡筒部と、撮像素子を保持した第２の後面部、該第２の後面部から光軸方向の前方に延びるように形成された壁面からなる第２の側面壁面部、該第２の側面壁面部の左右の下端および光軸方向に沿って開口した第２の下面開口部、並びに前記第２の側面壁面部の前端および光軸直交方向に沿って開口した第２の前面開口部を有する第２の鏡筒部と、を備えたレンズ鏡筒であって、
前記第１の上面開口部と前記第２の下面開口部とが合うように前記第１の側面壁面部の前記左右の上端と前記第２の側面壁面部の前記左右の下端とが組み合わされ、前記第１の後面開口部および前記第２の前面開口部が閉じられるように前記第１の側面壁面部の前記後端が前記第２の後面部に組み合わされるとともに前記第２の側面壁面部の前記前端が前記第１の前面部に組み合わされることで鏡筒本体の外観形状が構成され、かつ、前記鏡筒本体の内部に、光軸方向に移動する第２レンズ群を保持する第１の保持部および光軸方向において固定の第３レンズ群を保持する第２の保持部を貫通保持したガイド軸が内包されており、
前記ガイド軸は、該ガイド軸の前端部が前記第１の鏡筒部における前記第１の前面部に形成された第１の基準穴に光軸方向の後方から組み込まれて嵌合し、該ガイド軸の後端部が前記第２の鏡筒部における前記第２の後面部に形成された第２の基準穴に光軸方向の前方から組み込まれて嵌合することで、前記鏡筒本体に対して位置決め保持されていることを特徴とするレンズ鏡筒。
【請求項２】
第１レンズ群を保持した第１の前面部、該第１の前面部から光軸方向の後方に延びるように形成された壁面からなる第１の側面壁面部、該第１の側面壁面部の左右の上端および光軸方向に沿って開口した第１の上面開口部、並びに前記第１の側面壁面部の後端および光軸直交方向に沿って開口した第１の後面開口部を有する第１の鏡筒部と、撮像素子を保持した第２の後面部、該第２の後面部から光軸方向の前方に延びるように形成された壁面からなる第２の側面壁面部、該第２の側面壁面部の左右の下端および光軸方向に沿って開口した第２の下面開口部、並びに前記第２の側面壁面部の前端および光軸直交方向に沿って開口した第２の前面開口部を有する第２の鏡筒部と、光軸方向に移動する第２レンズ群を保持する第１の保持部および光軸方向において固定の第３レンズ群を保持する第２の保持部を貫通保持したガイド軸と、を備え、
前記第１の上面開口部と前記第２の下面開口部とが合うように前記第１の側面壁面部の前記左右の上端と前記第２の側面壁面部の前記左右の下端とが組み合わされ、前記第１の後面開口部および前記第２の前面開口部が閉じられるように前記第１の側面壁面部の前記後端が前記第２の後面部に組み合わされるとともに前記第２の側面壁面部の前記前端が前記第１の前面部に組み合わされることで鏡筒本体の外観形状が構成されるレンズ鏡筒の組立方法であって、
前記第１の保持部とともに前記ガイド軸に貫通保持させた前記第２の保持部を前記第１の鏡筒部の係合部に光軸直交方向から嵌合させて組み込み、その後、前記ガイド軸の前端部を前記第１の鏡筒部の前記第１の前面部に形成された第１の基準穴に光軸方向の後方からスライドさせて組み込み、その後、前記第２の鏡筒部を前記第１の鏡筒部に対して光軸方向の後方から組み込んで前記鏡筒本体の外観形状を構成しつつ、前記ガイド軸の後端部を前記第２の鏡筒部の前記第２の後面部に形成された第２の基準穴に光軸方向の前方から組み込んで嵌合させることを特徴とするレンズ鏡筒の組立方法。
【請求項３】
第１レンズ群を保持した第１の前面部、該第１の前面部から光軸方向の後方に延びるように形成された壁面からなる第１の側面壁面部、該第１の側面壁面部の左右の上端および光軸方向に沿って開口した第１の上面開口部、並びに前記第１の側面壁面部の後端および光軸直交方向に沿って開口した第１の後面開口部を有する第１の鏡筒部と、撮像素子を保持した第２の後面部、該第２の後面部から光軸方向の前方に延びるように形成された壁面からなる第２の側面壁面部、該第２の側面壁面部の左右の下端および光軸方向に沿って開口した第２の下面開口部、並びに前記第２の側面壁面部の前端および光軸直交方向に沿って開口した第２の前面開口部を有する第２の鏡筒部と、を備え、
前記第１の上面開口部と前記第２の下面開口部とが合うように前記第１の側面壁面部の前記左右の上端と前記第２の側面壁面部の前記左右の下端とが組み合わされ、前記第１の後面開口部および前記第２の前面開口部が閉じられるように前記第１の側面壁面部の前記後端が前記第２の後面部に組み合わされるとともに前記第２の側面壁面部の前記前端が前記第１の前面部に組み合わされることで鏡筒本体の外観形状が構成されるレンズ鏡筒の組立方法であって、
前記ガイド軸の後端部を光軸方向の前方から前記第２の鏡筒部の前記第２の後面部に形成された第２の基準穴に組み込んで嵌合させ、その後、光軸方向に移動する第２レンズ群を保持する第１の保持部および光軸方向において固定の第３レンズ群を保持する第２の保持部を前記ガイド軸に貫通保持させ、その後、前記第１の鏡筒部を前記第２の鏡筒部に対して光軸方向の前方から組み込んで前記鏡筒本体の外観形状を構成しつつ、前記ガイド軸の前端部を前記第１の鏡筒部の前記第１の前面部に形成された第１の基準穴に光軸方向の後方から組み込んで嵌合させることを特徴とするレンズ鏡筒の組立方法。
【発明の詳細な説明】
【０００１】
【発明の属する技術分野】
本発明は、ビデオカメラ等の撮像装置におけるズームレンズ鏡筒に関するものである。
【０００２】
【従来の技術】
従来、ビデオカメラ用のズームレンズとして、被写体側から順に固定の凸、可動の凹、固定の凸、可動の凸の４つのレンズ群から構成されるものがある。勿論この構成以外にも、種々のレンズ構成のズームレンズが知られているのは言うまでもない。
【０００３】
図１０は上述の最も一般的な4群構成からなるズームレンズの鏡筒構造を示す。ズームレンズを構成する4つのレンズ群201a〜201dは、固定された前玉レンズ201a、光軸に沿って移動することで変倍動作を行うバリエーターレンズ群201b、固定されたアフォーカルレンズ201c、及び光軸に沿って移動することで変倍時の焦点面維持と焦点合わせを行うフォーカシングレンズ群201dである。
【０００４】
前玉レンズ201aは前玉鏡筒202に保持され、バリエーターレンズ群201bはＶ移動環211,アフォーカルレンズ201cは中間枠215にフォーカシングレンズ群201dはＲＲ移動環214にそれぞれ保持されている。
【０００５】
ＲＲ移動環214は、は後部鏡筒216と後部鏡筒216に位置決めされた中間枠215の基準穴に嵌合支持されたガイド軸204a、204bに位置決め支持されて光軸方向に進退可能である。
【０００６】
前玉鏡筒202は後部鏡筒216に位置決めされてガイド軸203、ガイドスクリュウ軸208を保持し、Ｖ移動環211を光軸方向に進退可能に保持している。そして、前玉鏡筒202、中間枠215及び後部鏡筒216により略密閉されたレンズ鏡筒として外観が構成されている。
【０００７】
詳細には更に以下の構成となっており、ガイドバー203及び204a、204bは光軸205と平行に配置され、移動するレンズ群の案内及び回り止めを行うDCモーター206はバリエーターレンズ群201bを移動させる駆動源となる。尚、この図ではこのバリエーターレンズ群の駆動源としてDCモーターで示しているが、後述するフォーカシングレンズ移動の為の駆動源と同様にステップモーターを用いても構わない。
【０００８】
バリエーターレンズ群201bは保持枠211に保持されている。この保持枠211は押圧ばね209と、この押圧ばね209の力でスクリュー棒208に形成されたスクリュー溝208aに係合するボール210とを有している。そして、モーターによって出力軸206a、ギア列207を介してスクリュー棒208を回転駆動することにより、保持枠211はガイドバー203に沿って光軸方向に移動する。
【０００９】
フォーカシングレンズ群201dは保持枠214に保持されている。保持枠214のスリーブ部（ガイドバーに嵌合して案内部を形成する部分）にはねじ部材213が光軸方向に保持枠と一体的となる様に組付けられており、このねじ部材213はステップモーター212を回転させることにより、その出力軸212aが回転し、この出力軸212aに形成されたおねじ部とねじ部材213に形成されためねじ部、もしくはラック部がこの回転に連動することで、保持枠214をガイドバー204a、204bに沿って光軸方向に移動させることが出来る。
【００１０】
前述した様に、このステップモーターによる連動機構は、バリエーター駆動機構として構成しても構わない。
【００１１】
又、この様なステップモーターを用いてレンズ群を移動させる場合、移動するレンズ群の光軸方向の絶対位置を検出する為に不図示のフォトインタラプタと移動枠に一体的に設けられた遮光壁により移動枠の光軸方向の一つの基準位置を検出し、この基準位置に保持枠を配置した後に、以降ステップモーターに与える駆動ステップ数を連続的にカウントすることにより保持枠の絶対位置を検出する位置検出手段を構成することが可能となる。
【００１２】
図１１は従来の撮像装置におけるカメラ本体の電気的構成を示すブロック図である。図において上述図１０と同一符号の構成要素は同じ機能を有する。
【００１３】
221はCCD等の固体撮像素子、222はバリエーターレンズ群201bの駆動源であり、図１０のモーター206、モーター206と連動するギア列、スクリュー棒208等を含む。あるいは図１０のフォーカシングレンズ群の駆動と同様にステップモーター等で構成される。223はフォーカシングレンズ群201dの駆動源でありステップモーター212とおねじを形成したその出力軸212a、保持枠214に形成したねじ部材213等を含む。
【００１４】
224は絞り駆動源である。225はズームエンコーダー、２２７はフォーカスエンコーターである。これらのエンコーダーはそれぞれバリエーターレンズ、フォーカシングレンズの光軸方向の絶対位置を検出する。図１０の様にバリエーターレンズの駆動源にDCモーターを用いる様な場合には（図１０では不図示）、ボリューム等の絶対位置エンコーダーを用いること、あるいは磁気式のものでも構わない。
【００１５】
又、駆動源にステップモーターを用いる場合には前述した通りの基準位置に保持枠を配置してから、ステップモーターに入力する動作パルス数を連続してカウントする方法が一般的である。
【００１６】
226は絞りエンコーダーであり、絞り駆動源であるメーターの内部にホール素子を配置し、ローターとステーターの回転位置関係を検出する方式のものなどが知られている。
【００１７】
228はカメラ信号処理回路であり、CCDの出力に対して所定の増幅やガンマ補正などを施す。これらの所定の処理を受けた映像信号のコントラスト信号はAEゲート229、AFゲート230を通過する。即ち、露出決定及びピント合わせのために最適な信号取り出し範囲が全画面内の内このゲートで設定される。このゲートの大きさは可変であったり、複数設けられる場合もあるが、ここでは簡単のためにその詳細は記述しない。
【００１８】
231はAF（オートフォーカス）のためのAF信号処理回路であり、映像信号の高周波成分に関する一つもしくは複数の出力を生成する。233はズームスイッチ、234はズームトラッキングメモリであり、変倍に際して被写体距離とバリエーターレンズ位置に応じてとるべきフォーカシングレンズ位置の情報を記憶する。尚、ズームトラッキングメモリとしてはCPU内のメモリを使用してもよい。232はCPUである。
【００１９】
上記した構成で、例えば撮影者によりズームスイッチ233が操作されると、CPU232はズームトラッキングメモリ234の情報をもとに算出したバリエーターとフォーカシングレンズの所定の位置関係が保たれるように、ズームエンコーダー225の検出結果となる現在のバリエーターの光軸方向の絶対位置と算出されたバリエーターのあるべき位置、フォーカスエンコーター227の検出結果となる現在のフォーカスレンズの光軸方向の絶対位置と算出されたフォーカスレンズのあるべき位置、がそれぞれ一致するように、ズーム駆動源222とフォーカシング駆動源223を駆動制御する。
【００２０】
又、オートフォーカス動作ではAF信号処理回路231の出力がピークを示すように、CPU232はフォーカシング駆動源223を駆動制御する。
さらに、適正露出を得る為にCPU232はAEゲート229を通過したY信号の出力の平均値が所定値となるように、絞りエンコーダー226の出力がこの所定値となるように、絞り駆動源224を駆動制御して開口径をコントロールする。
【００２１】
以上の様に、従来の鏡筒構造は被写体側から順に固定の凸レンズ群を保持する固定鏡筒、可動の凹レンズ群は２本のガイド軸により光軸方向に進退可能に保持されており、固定の凸レンズ群を保持する中間枠、可動の凸レンズ群は２本のガイド軸により光軸方向に進退可能に保持されており、結像面側最終端にはＣＣＤを保持する後部鏡筒で構成されており、可動の凹レンズ群、可動の凸レンズ群はそれぞれ固定鏡筒、後部鏡筒内に内包されレンズ鏡筒としての外観は固定鏡筒、中間枠、後部鏡筒又は固定鏡筒と後部鏡筒にて略密閉された構成をとる、いわゆる積み上げ型の鏡筒構造となっていた。
【００２２】
【発明が解決しようとする課題】
しかしながら、近年撮影レンズには小型化、径小化が求められており、特に固定鏡筒の外径を小さくしようとすると鏡筒の内壁面の反射光が結像面まで達する内壁反射ゴーストが発生してしまう。
【００２３】
その為、固定鏡筒内壁には遮光線等の遮光手段を施す必要があるが、従来の積み上げ型の鏡筒構造では固定鏡筒の内壁に遮光線を施そうとすると、金型上アンダーカット形状となり、内径側に遮光線部を一旦スライドさせて成型を行うといった非常に複雑な金型構成となり、金型コストが高い、金型寿命が短いと行った問題が有り、又比較的大きな内径の鏡筒しか対応出来ない為、小型化を狙った固定鏡筒には対応出来ないといった問題が有り、なかなかレンズ鏡筒の小型化が実現出来ないでいた。
【００２４】
そこで、容易に遮光線形状を成型可能とするために、鏡筒本体の１側面を開口面とし、その開口面より移動レンズ群を組み込み蓋部材により密閉するといった、所謂モナカ鏡筒等が提案されているが、該モナカ鏡筒の場合には移動レンズ群及び中間枠を位置決め保持するガイド軸の保持は組み込み性の為に開口面を向いた半円状となる。その為、前記蓋部材によって前記ガイド軸を固定する必要があったが、蓋部材の剛性不足等によりガイド軸の固定が不安定となり駆動モーターの振動等を拾い、共振して駆動騒音の劣化等を招いていた。
【００２５】
本出願に係る発明の目的は、内包される移動レンズ群枠、固定レンズ群枠の組立自由度を向上させると共に、移動レンズ群および固定レンズ群を位置決めし且つ光軸方向に移動可能に支持するためのガイド軸を安定に固定できるようにしたレンズ鏡筒を提供することにある。
【００２６】
上記の目的を達成するために、本発明のレンズ鏡筒は、第１レンズ群を保持した第１の前面部、該第１の前面部から光軸方向の後方に延びるように形成された壁面からなる第１の側面壁面部、該第１の側面壁面部の左右の上端および光軸方向に沿って開口した第１の上面開口部、並びに第１の側面壁面部の後端および光軸直交方向に沿って開口した第１の後面開口部を有する第１の鏡筒部と、撮像素子を保持した第２の後面部、該第２の後面部から光軸方向の前方に延びるように形成された壁面からなる第２の側面壁面部、該第２の側面壁面部の左右の下端および光軸方向に沿って開口した第２の下面開口部、並びに第２の側面壁面部の前端および光軸直交方向に沿って開口した第２の前面開口部を有する第２の鏡筒部と、を備える。該レンズ鏡筒は、第１の上面開口部と第２の下面開口部とが合うように第１の側面壁面部の左右の上端と第２の側面壁面部の左右の下端とが組み合わされ、第１の後面開口部および第２の前面開口部が閉じられるように第１の側面壁面部の後端が第２の後面部に組み合わされるとともに第２の側面壁面部の前端が第１の前面部に組み合わされることで鏡筒本体の外観形状が構成され、かつ、鏡筒本体の内部に、光軸方向に移動する第２レンズ群を保持する第１の保持部および光軸方向において固定の第３レンズ群を保持する第２の保持部を貫通保持したガイド軸が内包されている。そして、ガイド軸は、該ガイド軸の前端部が第１の鏡筒部における第１の前面部に形成された第１の基準穴に光軸方向の後方から組み込まれて嵌合し、該ガイド軸の後端部が第２の鏡筒部における第２の後面部に形成された第２の基準穴に光軸方向の前方から組み込まれて嵌合することで、鏡筒本体に対して位置決め保持されていることを特徴とする。
また、本発明のレンズ鏡筒の組み立て方法は、第１レンズ群を保持した第１の前面部、該第１の前面部から光軸方向の後方に延びるように形成された壁面からなる第１の側面壁面部、該第１の側面壁面部の左右の上端および光軸方向に沿って開口した第１の上面開口部、並びに第１の側面壁面部の後端および光軸直交方向に沿って開口した第１の後面開口部を有する第１の鏡筒部と、撮像素子を保持した第２の後面部、該第２の後面部から光軸方向の前方に延びるように形成された壁面からなる第２の側面壁面部、該第２の側面壁面部の左右の下端および光軸方向に沿って開口した第２の下面開口部、並びに第２の側面壁面部の前端および光軸直交方向に沿って開口した第２の前面開口部を有する第２の鏡筒部と、光軸方向に移動する第２レンズ群を保持する第１の保持部および光軸方向において固定の第３レンズ群を保持する第２の保持部を貫通保持したガイド軸と、を備えるレンズ鏡筒に適用される。該レンズ鏡筒では、第１の上面開口部と第２の下面開口部とが合うように第１の側面壁面部の左右の上端と第２の側面壁面部の左右の下端とが組み合わされ、第１の後面開口部および第２の前面開口部が閉じられるように第１の側面壁面部の後端が第２の後面部に組み合わされるとともに第２の側面壁面部の前端が第１の前面部に組み合わされることで鏡筒本体の外観形状が構成される。組み立て方法は、第１の保持部とともにガイド軸に貫通保持させた第２の保持部を第１の鏡筒部の係合部に光軸直交方向から嵌合させて組み込み、その後、ガイド軸の前端部を第１の鏡筒部の第１の前面部に形成された第１の基準穴に光軸方向の後方からスライドさせて組み込み、その後、第２の鏡筒部を第１の鏡筒部に対して光軸方向の後方から組み込んで鏡筒本体の外観形状を構成しつつ、ガイド軸の後端部を第２の鏡筒部の第２の後面部に形成された第２の基準穴に光軸方向の前方から組み込んで嵌合させることを特徴とする。
さらに、本発明のレンズ鏡筒の組み立て方法は、第１レンズ群を保持した第１の前面部、該第１の前面部から光軸方向の後方に延びるように形成された壁面からなる第１の側面壁面部、該第１の側面壁面部の左右の上端および光軸方向に沿って開口した第１の上面開口部、並びに第１の側面壁面部の後端および光軸直交方向に沿って開口した第１の後面開口部を有する第１の鏡筒部と、撮像素子を保持した第２の後面部、該第２の後面部から光軸方向の前方に延びるように形成された壁面からなる第２の側面壁面部、該第２の側面壁面部の左右の下端および光軸方向に沿って開口した第２の下面開口部、並びに第２の側面壁面部の前端および光軸直交方向に沿って開口した第２の前面開口部を有する第２の鏡筒部と、を備えたレンズ鏡筒に適用される。該レンズ鏡筒では、第１の上面開口部と第２の下面開口部とが合うように第１の側面壁面部の左右の上端と第２の側面壁面部の左右の下端とが組み合わされ、第１の後面開口部および第２の前面開口部が閉じられるように第１の側面壁面部の後端が第２の後面部に組み合わされるとともに第２の側面壁面部の前端が第１の前面部に組み合わされることで鏡筒本体の外観形状が構成される。組み立て方法は、ガイド軸の後端部を光軸方向の前方から第２の鏡筒部の第２の後面部に形成された第２の基準穴に組み込んで嵌合させ、その後、光軸方向に移動する第２レンズ群を保持する第１の保持部および光軸方向において固定の第３レンズ群を保持する第２の保持部をガイド軸に貫通保持させ、その後、第１の鏡筒部を第２の鏡筒部に対して光軸方向の前方から組み込んで鏡筒本体の外観形状を構成しつつ、ガイド軸の前端部を第１の鏡筒部の第１の前面部に形成された第１の基準穴に光軸方向の後方から組み込んで嵌合させることを特徴とする。
【００３２】
【発明の実施の形態】
図１は本発明を実施したズームレンズ鏡筒の構成を示す縦断面図、図２は横断面図である。
【００３３】
図において、1は前玉となる第１レンズ群、２はバリエーターレンズ群、３は固定のアフォーカルレンズ群、４はフォーカシングレンズ群を示す。
【００３４】
５は第１レンズ群を保持する前玉鏡筒で、図３に示すように、略箱形状に形成されていて、前面に第１レンズ群を保持すると共に、上面及び結像面方向に開口面を有し、左右側面、下面には結像面方向に延長された側面を有している。
【００３５】
前玉鏡筒５の内壁下面には梨地面を施して形成された遮光線５aを有し、内面反射を防止して有害な反射ゴーストを防止している。
【００３６】
この遮光線５aは金型の成形上、図３における上方向のスライドにて成形される事となる。その為、前玉鏡筒５の内壁形状は寸法精度を必要とされる部分について、全てが上方向スライドで形成可能な形状とする必要がある。
【００３７】
つまり、精度をあまり必要としない固定ビスの下穴５b等はスライド内スライド等の成形方法で形成が可能であるが、結像面方向に向いた穴としてのガイド軸の基準穴は形成不可能である。仮に前述のスライド内スライドの成形方法を用いて形成した場合には成型バラツキが大きすぎて所望の光学性能が保証できないといった問題があった。
【００３８】
そこで、本実施の形態に於いては、前玉鏡筒５を後方から前方に見た図４の後視図に示すように、左右方向のスライド穴５c、５dにより３方向を規制した基準溝を前玉鏡筒の前壁に成型する。この左右に形成した基準溝は、光軸中心側に形成された縦方向側壁面（溝の先端壁面）と、上下方向に対向して形成された上下の各壁面と、前方の壁面の４壁面を有しており、前記縦方向側壁面にガイド軸６ａ、６ｂの先端部を宛がうように装着すると、前方向,光軸中心方向及び上下方向の位置規制が可能な穴部を構成することができ、光軸中心方向と反対方向のみが非規制状態にある。
【００３９】
そこで、前記基準溝よりも光軸方向後方に、前記縦方向側壁面よりガイド軸６ａ,６ｂの直径分だけ光軸中心方向から反対の方向にずれた位置に、上方向のスライド型による成形で左右方向規制の基準リブ５e，５fを上下方向に形成し、ガイド軸６ａ,６ｂの径方向外方への位置規制を行なうようにし、前記基準溝に基準リブ５e，５fを加えてガイド軸６a、６bの外径の４点を精度良く嵌合できる基準穴５g、５hが成型されている。
【００４０】
一方、後部鏡筒７は、図５に示すように、略半円形の屋根形状に形成された上蓋部の後端部に後端壁部７Ｂが一体に形成されており、後端壁部７Ｂにはローパスフィルター保持部７ｂ（図６に図示）とＣＣＤ保持部７ｃを有し、図５に示すように、左右方向及び光軸被写体方向に開口面を有し、光軸被写体方向に延長された前玉鏡筒５との当接基準面７ａを支持する１側面を有している。
【００４１】
本実施の形態における後部鏡筒７は、その内壁に遮光手段を施工していない為、射出成形における金型のスライドの構成は、図５に示すように、前後方向と左右方向の矢印で示す４方向スライドにて構成されている。
【００４２】
この為、ガイド軸６a、６bを位置決め保持する基準穴７d、７eは、前方向スライドにより容易に精度良く形成可能で、その形状も、図６に示す後部鏡筒の正面図のように真円で形成される。
【００４３】
本実施の形態では、後部鏡筒７の内壁には遮光手段を施していない為、前方向スライドにて基準穴を形成したが、遮光手段を施した場合には前述の前玉鏡筒の様に左右方向スライドで精度良く成型する事が可能である。
【００４４】
ガイド軸６a、６bは以上の様に形成された前玉鏡筒５の基準穴５g、５h及び後部鏡筒７の基準穴７d、７eに嵌合し位置決め保持される。
【００４５】
バリエーターレンズ群２を保持するＶ移動環８は、図２に示すように、基準位置決め側にはスリーブ８aを施し、ガイド軸６aに嵌合し振れ止め側にはＵ溝部８bを施しており、スリーブ８ａがガイド軸６bに嵌合する事で光軸の位置出しを行っている。バリエーターレンズ群２の光軸方向に対する傾き（倒れ）は、スリーブ８aの嵌合長を長く構成する事で保証している。Ｖ移動環８には不図示のラックギアが光軸方向にはガタなく、光軸と垂直方向には回動可能に取り付けられており、組み立て斜視図７の様に、ＰＺモーター10のスクリュウ軸10aに噛み合う事でスクリュウ軸の回転によりＶ移動環８は光軸方向に進退可能である。
【００４６】
同様にフォーカシングレンズ群４を保持するＲＲ移動環９は、基準位置決め側にはスリーブ９aを施しガイド軸６bに嵌合し、振れ止め側にはＵ溝部９bを施しガイド軸６ａに嵌合する事で光軸の位置出しを行っている。
【００４７】
フォーカスレンズ群４の光軸方向に対する傾き（倒れ）は、スリーブ９aの嵌合長を長く構成する事で保証している。Ｖ移動環８とＲＲ移動環９の基準位置決め側のガイド軸をそれぞれ違えているのは、スリーブの嵌合長を長く構成した結果である。ＲＲ移動環９には、不図示のラックが光軸方向にはガタなく、光軸と垂直方向には回動可能に取り付けられており、図７に示す組み立て斜視図の様にＡＦモーター11のスクリュウ軸11aに噛み合う事でスクリュウ軸の回転によりＲＲ移動環９は光軸方向に進退可能である。
【００４８】
固定のアフォーカルレンズ群３を保持する中間枠12は、Ｖ移動環８、ＲＲ移動環９と同様に、図８の後視図に表せる様に、基準位置決め穴12a及び振れ止めの長穴12bを有し、それぞれガイド軸６a、６bに嵌合する事で光軸出しを行っているが、Ｖ移動環８、ＲＲ移動環９が基準位置決め側のスリーブ長を長く設定する事で各々のレンズ群の倒れを保証していたが、中間枠12のスリーブ長は２つの移動レンズ群のスリーブ長により長く設定することが困難である。その為、本実施の形態では、中間枠12に３個所の前玉鏡筒との係止部を施しアフォーカルレンズ群３の倒れを保証している。12c、12d、12eは中間枠12に施された係止部で、それぞれの係止部12c、12d、12eは前玉鏡筒５に対応して施された係止溝５ｉ、５j及び係止長穴５kに嵌合している。
【００４９】
まず、係止部12cもしくは12dは前玉鏡筒５の係止溝５ｉもしくは５jに嵌合して中間枠12の光軸方向の位置を規定し、反対側の係止部12dもしくは12cが前玉鏡筒の係止部５jもしくは５ｉに嵌合する事で図８におけるＸ軸方向の倒れを規定し、係止部12eが前玉鏡筒５の係止長穴５kに嵌合する事で図８におけるＹ軸方向の位置が規定出来る。また各々の係止部は適宜嵌合設定としても軽い圧入設定としてもよい。
【００５０】
以上の構成において、レンズ鏡筒としての組み立て手順としては例えば以下の様になる。
【００５１】
２本のガイド軸6a、6bにＶ移動環８、中間枠12、ＲＲ移動環９を貫通保持した状態で前玉鏡筒５の係合部に中間枠12を光軸に対する直交方向より嵌合させ組み込み、その後ガイド軸6a、6bを前玉鏡筒５の前記基準穴に光軸方向よりガイド軸の嵌合長分スライドさせて組み込み、後部鏡筒７を光軸方向より組み込み固定してレンズ鏡筒の外観は略密閉されて完成する。
【００５２】
その後、各アクチエーターであるＰＺモーター10、ＡＦモーター11、ＩＧメーター13を光軸直交方向より組み込みレンズユニットとして完成する。
【００５３】
別の方法として、後部鏡筒７にガイド軸６ａ、６ｂを光軸方向に組み込んでおいて、ＲＲ移動環９、中間枠１２、Ｖ移動環８を順次後部鏡筒７に光軸方向に組み込み後、前玉鏡筒５に対して光軸直交方向から中間枠１２が正規位置になるまで落とし込み、その後、後部鏡筒７をガイド軸６ａ、６ｂの嵌合長分スライドさせて組み込む事でレンズ鏡筒として完成し、あとは前述の方法と同様である。
【００５４】
（第２の実施の形態）
図９は従来の積み上げ型のレンズ鏡筒に対して本発明による基準軸の成型方法を実施した第2の実施の形態を示す。
【００５５】
ズームレンズのレンズ送り機構は、ガイド軸２０を送りネジとし、ガイド軸２０の回転を移動環２１の光軸方向移動に変換する為、ガイド軸２０は光軸方向にガタあるとピントのボケを発生してしまう。
【００５６】
そのため、ガイド軸を常に光軸方向にガタ寄せ付勢される必要がある。従来は、図９（A）に示すように、この付勢板バネ２２をレンズ鏡筒外に配置していた為、潤滑グリスの回り込み等が発生していたが、図９（B）に示す本実施の形態では、射出成形における成形型の左右方向スライドにより、板バネ３０を収納するスペースを設けたスライド穴３１を形成し、最後に目隠しテープ（不図示）を貼る事でゴミの進入、グリスの回り込みを防止できる効果がある。
【００５７】
【発明の効果】
請求項１に係る発明によれば、鏡筒本体を構成する第１、第２の鏡筒部は、光軸に沿って開口部を有しているので、内包される移動レンズ群枠、固定レンズ群枠を開口部から容易に組み込み可能となるため、組立の自由度を向上させることが可能である。
【図面の簡単な説明】
【図１】本出願に係る発明の第１の実施の形態におけるズームレンズの縦断面図
【図２】本出願に係る発明の第１の実施の形態におけるズームレンズの横断面図
【図３】本出願に係る発明の第１の実施の形態における前玉鏡筒の金型スライド構成を示す斜視図
【図４】本出願に係る発明の第１の実施の形態における前玉鏡筒の後面図
【図５】本出願に係る発明の第１の実施の形態における後部鏡筒の金型スライド構成を示す斜視図
【図６】本出願に係る発明の第１の実施の形態における後部鏡筒の正面図
【図７】本出願に係る発明の第１の実施の形態における組立状態の分解斜視図
【図８】本出願に係る発明の第１の実施の形態における中間枠と前玉鏡筒との係合状態を示す正面図
【図９】本出願に係る発明の第２の実施の形態と従来との対比を示すものであり、（Ａ）は従来のズームレンズ送り機構の構成を示す縦断面図、（Ｂ）は第２の実施の形態のズームレンズ送り機構の構成を示す縦断面図
【図１０】従来例におけるズームレンズの鏡筒構造を示す縦断面図
【図１１】従来例における撮像装置の電気的構成を示すブロック図
【符号の説明】
１…第１レンズ群                    ２…第２レンズ群（バリエーター）
３…アフォーカルレンズ群            ４…フォーカシングレンズ群
５…前玉鏡筒                        ５ａ…遮光線
５ｂ…固定ビスの下穴                ５ｃ，５ｄ…左右方向のスライド穴
５ｅ，５ｆ…左右方向規制の基準リブ  ５ｇ，５ｈ…基準穴
５ｉ，５ｊ…係止溝                  ５ｋ…係止長穴
６ａ，６ｂ…ガイド軸                ７…後部鏡筒
７ａ…当接基準面                    ７ｂ…ローパスフィルター保持部
７ｃ…ＣＣＤ保持部                  ７ｄ，７ｅ…基準穴
８…Ｖ移動環                        ８ａ…スリーブ
８ｂ…Ｕ溝部                        ９…ＲＲ移動環
９ａ…スリーブ                      ９ｂ…Ｕ溝部
１０…ＰＺモーター                  １０ａ…スクリュウ軸
１０ｂ…保持部材                    １１…ＡＦモーター
１１ａ…スクリュウ軸                １１ｂ…保持部材
１２…中間枠                        １２ａ…基準位置決め穴
１２ｂ…振れ止めの長穴              １２ｃ，１２ｄ，１２ｅ…係止部
１３…アイリス
【図１】
0004724294.tif 000002
【図２】
0004724294.tif 000003
【図３】
0004724294.tif 000004
【図４】
0004724294.tif 000005
【図５】
0004724294.tif 000006
【図６】
0004724294.tif 000007
【図７】
0004724294.tif 000008
【図８】
0004724294.tif 000009
【図９】
0004724294.tif 000010
【図１０】
0004724294.tif 000011
【図１１】
0004724294.tif 000012